(57)【特許請求の範囲】
【請求項１】
平行に対向する２つの壁面に挟まれた空間内で、少なくとも１つの基地局と少なくとも１つの端末局の間で無線通信を行う系において、
基地局アンテナが壁Ｂの壁面に設置され、壁Ａと壁Ｂで構成される対向壁間の距離をＬとしたとき、床から端末局アンテナまでの高さをＨｒ、床から基地局アンテナまでの高さをＨｔとするとき、Ｈ＝Ｈｔ−Ｈｒで与えられる送受信高低差のＨを使用して求められる床からの高さが、“表１”の項番１〜５のいずれか１項で表わされる、壁Ａと壁Ｂの壁面上の範囲を、電波を吸収する材質、もしくは、反射係数の小さな材質により構成するか、又は、前記の材質で構成したパネル、壁紙又は塗料で覆ったことを特徴とする無線通信空間。
【表１】
0003604526.tif 000007
【請求項２】
平行に対向する２つの壁面に挟まれた空間内で、少なくとも１つの基地局と少なくとも１つの端末局の間で無線通信を行う系において、
壁Ａと壁Ｂで構成される対向壁間の距離すなわち部屋の長さをＬ、ａを１以上の実数としたとき、基地局アンテナと部屋の対向壁（壁Ａ）面までの距離をＬ／ａ、床から端末局アンテナまでの高さをＨｒ、床から基地局アンテナまでの高さをＨｔとするとき、Ｈ＝Ｈｔ−Ｈｒで与えられる送受信高低差のＨを使用して求められる、床からの高さが、ａの値が、５／４≦ａ≦５の場合
“表２”の項番１、１＜ａ＜５／４の場合、“表２”の項番２〜４、５＜ａの場合、“表２”の項番５〜７のいずれか１項で表わされる、壁Ａと壁Ｂの壁面上の範囲を電波を吸収する材質もしくは反射係数の小さな材質により構成するか、又は、前記の材質で構成したパネル、壁紙又は塗料で覆ったことを特徴とする無線通信空間。
【表２】
0003604526.tif 000008
【請求項３】
平行に対向する２つの壁面に挟まれた空間内で、少なくとも１つの基地局と少なくとも１つの端末局の間で無線通信を行う無線通信空間において、
壁面反射等によるマルチパス干渉に関する天井反射の影響が大きい場合に、基地局アンテナが壁Ｂの壁面に設置され、壁Ａと壁Ｂで構成される対向壁間の距離をＬとしたとき、天井の高さをｈ、床から端末局アンテナまでの高さをＨｒ、床から基地局アンテナまでの高さをＨｔとするとき、Ｈ＝Ｈｔ−Ｈｒで与えられる送受信高低差のＨを使用して求められる床からの高さが、“表３”の項番１〜５のいずれか１項で表わされる、壁Ａと壁Ｂの壁面上の範囲、及び、Ｈ＝２ｈ−Ｈｔ−Ｈｒで与えられる天井反射の鏡像送受信高低差のＨを使用して求められる床からの高さの範囲が
“表３”の項番１〜５のいずれかで表わされる、壁Ａと壁Ｂの壁面の範囲を電波を吸収する材質もしくは反射係数の小さな材質により構成するか、又は、前記の材質で構成したパネル、壁紙又は塗料で覆ったことを特徴とする無線通信空間。
【表３】
0003604526.tif 000009
【請求項４】
平行に対向する２つの壁面に挟まれた空間内で、少なくとも１つの基地局と少なくとも１つの端末局の間で無線通信を行う無線通信空間において、
壁面反射等によるマルチパス干渉に関する天井反射の影響が大きい場合に、壁Ａと壁Ｂで構成される対向壁間の距離すなわち部屋の長さをＬ、ａを１以上の実数、基地局アンテナと部屋の対向壁（壁Ａ）面までの距離をＬ／ａ、天井の高さをｈ、床から端末局アンテナまでの高さをＨｒ、床から基地局アンテナまでの高さをＨｔとするとき、Ｈ＝Ｈｔ−Ｈｒで与えられる送受信高低差のＨを使用して求められる、床からの高さが、ａの値が、５／４≦ａ≦５の場合、“表４”の項番１、１＜ａ＜５／４の場合、“表４”の項番２〜４、５＜ａの場合、“表４”の項番５〜７のいずれか１項で表わされる、壁Ａと壁Ｂの壁面上の範囲、及び、Ｈ＝２ｈ−Ｈｔ−Ｈｒで与えられる天井反射の鏡像送受信高低差のＨを使用して求められる床からの高さの範囲が、ａの値が、５／４≦ａ≦５の場合、
“表４”の項番６、１＜ａ＜５／４の場合、“表４”の項番２〜４、５＜ａの場合、“表４”の項番５〜７のいずれか１項で表わされる、壁Ａと壁Ｂの壁面上の範囲を電波を吸収する材質もしくは反射係数の小さな材質により構成するか、又は、前記の材質で構成したパネル、壁紙又は塗料で覆ったことを特徴とする無線通信空間。
【表４】
0003604526.tif 000010
【請求項５】
電波を吸収する材質又は、反射係数の小さな材質により構成する範囲に該当する壁面にシールドガラス等の電波を反射する窓が含まれる場合、電波を吸収する材質又は、反射係数の小さな材質により構成する範囲に該当する範囲を電波を透過して反射係数の小さい材質のガラス等で構成するか、又は、電波を吸収する反射係数の小さな材質で構成したパネル、壁紙又は塗料で覆う構造とした請求項１〜請求項４記載の無線通信空間。
【請求項６】
電波を吸収する材質もしくは反射係数の小さな材質により構成する範囲に該当する壁面を電波を吸収する反射係数の小さな材質、又は、反射係数の小さな材質で構成したカーテン、ブラインド等の遮蔽幕で覆う構造とした請求項１〜請求項４記載の無線通信空間。
【請求項７】
電波を吸収する材質もしくは反射係数の小さな材質により構成する範囲に該当する壁面を電波を吸収する反射係数の小さな材質もしくは反射係数の小さな材質で構成するか、又は、前記の材質で構成したパネル、壁紙又は塗料で覆われた書庫、フェンス、パーティション等の什器で覆う構造とした請求項１〜請求項４記載の無線通信空間。
【発明の詳細な説明】
【０００１】
【発明の属する技術分野】
本発明は屋内高速無線通信に関し、壁、床、天井からの反射によるマルチパスフェージングを軽減し、誤り率（ＢＥＲ）、Ｄ／Ｕ（希望波と干渉波の比）を改善した高品質な伝送を可能とする屋内高速無線通信の実現に係る。
【０００２】
【従来の技術】
図８は、従来の屋内高速無線通信装置と短遅延の干渉波の伝搬経路を示す図である。同図において、数字符号１は床、２は基地局アンテナ背後の壁、３は端局アンテナの背後の壁、４は天井、５は基地局装置、６は端末装置、７は基地局アンテナ、８は端局アンテナ、９は基地局アンテナの垂直面内における放射パターンを表わしている。
【０００３】
また、１０は端局アンテナの垂直面内における放射パターン、１４は基地局アンテナから直接、端末アンテナに到来する波の伝搬経路、１５は基地局アンテナより放射し、床に反射した後、端末アンテナに到来する波の伝搬経路、１６は基地局アンテナより放射し、天井で反射した後、端末アンテナに到来する波の伝搬経路を表わしている。
【０００４】
基地局アンテナ７は天井高と同程度、またはそれより低い高さに設置され、部屋の端に設置された端末局アンテナ８と通信を行う。基地局アンテナの垂直面内放射パターンは、基地局アンテナの垂直面内における放射パターンのピークが端末局アンテナの方向と一致するように水平方向から下方に傾けられている。
【０００５】
基地局アンテナから端末局アンテナヘ到来する波としては、基地局アンテナから放射された後、直接、端末局アンテナに到来する直接波以外に、基地局アンテナより放射され、床に反射した後、端末局アンテナに到来する波、及び基地局アンテナより放射され、天井で反射した後、端末局アンテナに到来する波がある。これらの波は基地局アンテナから直接端末局アンテナに到来する波の伝搬時間との差（これを遅延時間と呼ぶ）が短い、いわゆる短遅延の干渉波である。
【０００６】
図９は従来の屋内高速無線通信装置と長遅延の干渉波の伝搬経路を示す図である。同図において、数字符号１〜１０は図８と共通に用いている。基地局アンテナからの放射指向性は、対向する端末局アンテナのみならず端末局アンテナ背後の壁や天井にも向けられている。
【０００７】
このため、基地局アンテナから端末局アンテナヘ到来する波としては、数字符号１７で示す基地局アンテナから放射され、端末局アンテナ背後の壁で反射し、基地局アンテナ背後の壁で再び反射した後、端末局アンテナに到来する波、及び１８で示す基地局アンテナ近傍の天井に反射し、端末局アンテナ背後の壁で反射し、さらに基地局アンテナ背後の壁で再び反射した後、端末局アンテナに到来する波が存在する。
【０００８】
これらの波は、いわゆる長遅延の干渉波である。このため、屋内高速無線通信装置では、短遅延の干渉波である床や天井、側壁による１回反射波の干渉により受信レベルが低下した状態にさらに長遅延の干渉波である端末局アンテナ背後の壁と基地局アンテナ背後の壁でそれぞれ反射した２回以上反射した反射波とが干渉し、符号誤りを発生させ、伝送特性を劣化させている。
【０００９】
すなわち、伝送速度が数１０Ｍbit／ｓにも達する準ミリ波、ミリ波帯を使った屋内高速ディジタル伝送では、干渉波の遅延時間がシンボル長と同程度となり、干渉波の遅延時間がシンボル長の内外に存在する。このような屋内マルチパス環境下では、符号誤り率は干渉波の遅延時間には依存せず、希望波の受信レベル（Ｄ）と干渉波の全受信レベル（Ｕ）との比（Ｄ／Ｕ）により決定される。
【００１０】
（文献：中山，佐藤，吉田：“ミリ波による屋内高速伝送特性”，信学論（Ｂ），vol.77-C-I, no.11. pp.640-647, Nov.1994参照）
このため、「伝送速度が数１０Ｍbit／ｓにも達するミリ波帯での屋内高速ディジタル伝送では、多数の干渉波に対する所望波のＤ／Ｕを改善することが屋内高速通信の実現の基本といえる。」
【００１１】
このような、端末局アンテナと基地局アンテナの背後の壁でそれぞれ反射した２回以上反射した反射波の干渉による伝送特性の劣化を改善するためには、屋内の壁面で到来波を吸収し、対向する壁や天井からの反射波を全て抑圧するか、垂直面内放射パターンにおいて、基地局アンテナからみて対向する壁や天井を見込む角度にヌル点を形成することにより、対向する壁や天井からの反射波を全て抑圧すれば、干渉波に対するＤ／Ｕを改善できることは容易に考えられる。
【００１２】
従来、この条件を満足する部屋の一例として電波無響室が開示されている。一方この条件を満足する放射パターン形状のアンテナを実現するアンテナの一例として垂直面内の放射パターンがコセカント２乗の形状を持つ、いわゆるコセカント２乗成形ビームアンテナ等が開示されている。
【００１３】
図１０は従来の電波無響室の干渉波抑圧原埋を示す図である。同図において、（ａ）は電波無響室、（ｂ）は電波半無響室を示しており、数字符号１は床、２は基地局アンテナ背後の壁、３は端局アンテナの背後の壁、４は天井、５は基地局装置、６は端末装置、７は基地局アンテナ、８は端局アンテナ、９は基地局アンテナの垂直面内における放射パターン、１０は端局アンテナの垂直面内における放射パターン、２７は電波吸収面を示している。
【００１４】
この図において、実線で示した経路は実際の伝搬経路、破線は反射させない電波が反射した場合の伝搬経路を示している。
通常、基地局アンテナからの放射指向性は、対向する端末局アンテナのみならず端末局アンテナ背後の壁や天井にも向けられている。
【００１５】
このため、基地局アンテナから端末局アンテナヘ到来する波としては、１４の基地局アンテナから放射された後、直接、端末局アンテナに到来する直接波以外に、１５の基地局アンテナより放射され、床に反射した後、端末局アンテナに到来する波、及び１６の基地局アンテナより放射され、天井で反射した後、端末局アンテナに到来する波、
【００１６】
さらに１７の基地局アンテナから放射され、端末局アンテナ背後の壁で反射し、基地局アンテナ背後の壁で再び反射した後、端末局アンテナに到来する波、及び１８の基地局アンテナ近傍の天井に反射し、端末局アンテナ背後の壁で反射し、さらに基地局アンテナ背後の壁で再び反射した後、端末局アンテナに到来する波が本来なら存在する。
【００１７】
しかし、電波無響室では壁、天井、床の全ての面が電波吸収体で構成された電波吸収面であるため、数字符号１４で示す基地局アンテナから放射された後、直接、端末局アンテナに到来する直接波以外の基地局アンテナから放射された波は、壁、天井、床のいずれかに最初に到達した時点で電波吸収面に吸収されてしまい、壁、天井、床で反射する場合の通常の伝搬経路の破線で表示された区間は存在しなくなる。
【００１８】
すなわち、電波無響室では、壁、天井、床の全ての面で反射をさせないことにより、全ての干渉波を最初の壁面到達時に抑圧している。
特に、電波無響室で屋外環境を模して大地に相当する床面の反射を許容し、床以外の天井、壁面で反射させない図１０（ｂ）に示すものを電波半無響室と呼び、床面反射波に関しては２回目の反射点（床面反射後の最初の天井、壁面での反射点）、それ以外の反射波に関しては１回目の反射点で必ず電波を吸収することにより反射波を抑圧する。
【００１９】
【発明が解決しようとする課題】
しかし、上述したような電波無響室を実現するためには、壁面の全面工事が必要である。従って、工事の規模が非常に大きくなり、スペース的にも、経済的にも、通常の事務室や居室、教室等の部屋を電波無響室にするということは特別な場合を除いて現実的ではない。
【００２０】
また、成形ビームアンテナで所望の放射パターンを実現するためには、少なくとも数１０素子の素子アンテナが必要であることから、給電回路を含めたアンテナ装置全体が非常に大きくなる。
また、成形ビームアンテナでは素子間の励振振幅の比が大きくなることから、製造精度による誤差が無視できなくなり、特にミリ波帯では製造精度の影響が顕著になり、所望の性能を実現することが困難になるという問題がある。
【００２１】
以上述べたように、電波無響室では工事規模が非常に大きく、電波無響室を通常の部屋として使用することは経済的に難しい。また、従来の屋内無線通信装置の対応では、基地局アンテナとして成形ビームアンテナを用いていたため、アレーを構成する素子数が多くなり、アンテナ装置全体が大きくなり、これに加え、アンテナ装置の製作及び所望の性能の実現が困難になるという問題があった。
【００２２】
本発明の屋内高速無線通信に関する上述のような課題に対し、受信アンテナ背後の壁や天井からの１〜２回以上の反射波を抑圧して、長遅延反射波によるマルチパスフェージングを低減させ、希望波の受信レベル（Ｄ）と干渉波の全受信レベル（Ｕ）との比（Ｄ／Ｕ）を大きく改善することにより、高品質な屋内無線通信を簡易なアンテナ構成の無線通信装置で実現することを目的としている。
【００２３】
【課題を解決するための手段】
本発明によれば、上述の課題は、前記特許請求の範囲に記載した手段により解決される。
【００２４】
すなわち、本願の請求項に係る発明の基本的な構成は、対向する２つの壁面に挟まれた屋内等の空間内で、少なくとも１つの基地局と少なくとも１つの端末局の間で無線通信を行う系において、基地局アンテナから端末局アンテナヘ到来する１回以上壁面反射した長遅延波を端末局アンテナ到来前の伝搬経路途中のいずれかの反射点において反射を抑圧する長遅延波の伝搬遮断法を用い、
【００２５】
長遅延波遮断に要する反射を抑圧する範囲を最小共通となる特定範囲に制限し、その範囲の壁面を、電波を吸収する材質もしくは反射係数の小さな材質により構成するか、又は、電波を吸収する材質もしくは反射係数の小さな材質の部材で覆うことにより構成した無線通信空間である。具体的な構成を以下に示す。
【００２６】
請求項１の発明は、平行に対向する２つの壁面に挟まれた空間内で、少なくとも１つの基地局と少なくとも１つの端末局の間で無線通信を行う系において、基地局アンテナが壁Ｂの壁面に設置され、壁Ａと壁Ｂで構成される対向壁間の距離をＬとしたとき、床から端末局アンテナまでの高さをＨｒ、床から基地局アンテナまでの高さをＨｔとするとき、
【００２７】
Ｈ＝Ｈｔ−Ｈｒで与えられる送受信高低差のＨを使用して求められる床からの高さが、 “表５”の項番１〜５のいずれか１項で表わされる、壁Ａと壁Ｂの壁面上の範囲を、電波を吸収する材質、もしくは、反射係数の小さな材質により構成するか、又は、前記の材質で構成したパネル、壁紙又は塗料で覆うことにより構成した無線通信空間である。
【００２８】
【表５】
0003604526.tif 000002
【００２９】
請求項２の発明は、平行に対向する２つの壁面に挟まれた空間内で、少なくとも１つの基地局と少なくとも１つの端末局の間で無線通信を行う系において、壁Ａと壁Ｂで構成される対向壁間の距離すなわち部屋の長さをＬ、ａを１以上の実数としたとき、基地局アンテナと部屋の対向壁（壁Ａ）面までの距離をＬ／ａ、床から端末局アンテナまでの高さをＨｒ、床から基地局アンテナまでの高さをＨｔとするとき、
【００３０】
Ｈ＝Ｈｔ−Ｈｒで与えられる送受信高低差のＨを使用して求められる、床からの高さが、ａの値が、５／４≦ａ≦５の場合 “表６”の項番１、１＜ａ＜５／４の場合、“表６”の項番２〜４、５＜ａの場合、“表６”の項番５〜７のいずれか１項で表わされる、壁Ａと壁Ｂの壁面上の範囲を電波を吸収する材質もしくは反射係数の小さな材質により構成するか、又は、前記の材質で構成したパネル、壁紙又は塗料で覆うことにより構成した無線通信空間である。
【表６】
0003604526.tif 000003
【００３１】
請求項３の発明は、平行に対向する２つの壁面に挟まれた空間内で、少なくとも１つの基地局と少なくとも１つの端末局の間で無線通信を行う無線通信空間において、壁面反射等によるマルチパス干渉に関する天井反射の影響が大きい場合に、基地局アンテナが壁Ｂの壁面に設置され、壁Ａと壁Ｂで構成される対向壁間の距離をＬとしたとき、天井の高さをｈ、床から端末局アンテナまでの高さをＨｒ、床から基地局アンテナまでの高さをＨｔとするとき、
【００３２】
前記請求項１で示した床からの高さの範囲の壁面に加え、Ｈ＝２ｈ−Ｈｔ−Ｈｒで与えられる天井反射の鏡像送受信高低差のＨを使用して求められる床からの高さの範囲が“表７”の項番１〜５のいずれかで表わされる、壁Ａと壁Ｂの壁面の範囲を電波を吸収する材質もしくは反射係数の小さな材質により構成するか、又は、前記の材質で構成したパネル、壁紙又は塗料で覆うことにより構成した無線通信空間である。
【表７】
0003604526.tif 000004
【００３３】
請求項４の発明は、平行に対向する２つの壁面に挟まれた空間内で、少なくとも１つの基地局と少なくとも１つの端末局の間で無線通信を行う無線通信空間において、壁面反射等によるマルチパス干渉に関する天井反射の影響が大きい場合に、壁Ａと壁Ｂで構成される対向壁間の距離すなわち部屋の長さをＬ、ａを１以上の実数、基地局アンテナと部屋の対向壁（壁Ａ）面までの距離をＬ／ａ、天井の高さをｈ、床から端末局アンテナまでの高さをＨｒ、床から基地局アンテナまでの高さをＨｔとするとき、
【００３４】
前記請求項２で示した床からの高さの範囲の壁面に加え、Ｈ＝２ｈ−Ｈｔ−Ｈｒで与えられる天井反射の鏡像送受信高低差のＨを使用して求められる床からの高さの範囲が、ａの値が、５／４≦ａ≦５の場合、“表８”の項番１、１＜ａ＜５／４の場合、“表８”の項番２〜４、５＜ａの場合、“表８”の項番５〜７のいずれか１項で表わされる、壁Ａと壁Ｂの壁面上の範囲を電波を吸収する材質もしくは反射係数の小さな材質により構成するか、又は、前記の材質で構成したパネル、壁紙又は塗料で覆うことにより構成した無線通信空間である。
【表８】
0003604526.tif 000005
【００３５】
請求項５の発明は、請求項１〜請求項５記載の無線通信空間において、電波を吸収する材質又は、反射係数の小さな材質により構成する範囲に該当する壁面にシールドガラス等の電波を反射する窓が含まれる場合、電波を吸収する材質又は、反射係数の小さな材質により構成する範囲に該当する範囲を電波を透過して反射係数の小さい材質のガラス等で構成するか、又は、電波を吸収する反射係数の小さな材質で構成したパネル、壁紙又は塗料で覆うことにより構成したものである。
【００３６】
請求項６の発明は、請求項１〜請求項５記載の無線通信空間において、電波を吸収する材質もしくは反射係数の小さな材質により構成する範囲に該当する壁面を電波を吸収する反射係数の小さな材質、又は、反射係数の小さな材質で構成したカーテン、ブラインド等の遮蔽幕で覆う構造としたものである。
【００３７】
請求項７の発明は、請求項１〜請求項５記載の無線通信空間において、電波を吸収する材質もしくは反射係数の小さな材質により構成する範囲に該当する壁面を電波を吸収する反射係数の小さな材質もしくは反射係数の小さな材質で構成するか、又は、前記の材質で構成したパネル、壁紙又は塗料で覆われた書庫、フェンス、パーティション等の什器で覆う構造としたものである。
【００３８】
本発明は、上述のように、平行に対向する２つの壁面に挟まれた屋内等の空間内で、少なくとも１つの基地局と少なくとも１つの端末局の間で無線通信を行う系において、通信の障害となる基地局アンテナから端末局アンテナへ到来する１回以上壁面反射した長遅延波を最初の反射点で反射を抑圧し、
【００３９】
長遅延波の端末局アンテナへの伝搬を遮断する代わりに、端末局アンテナ到来前の伝搬経路途中のいずれかの反射点において反射を抑圧する長遅延波の伝搬遮断法を用い、長遅延波遮断に要する反射を抑圧する範囲を最小共通となる特定範囲に制限する。
【００４０】
さらに部屋の壁面が平行であるという幾何学的特徴を利用することで、端末局アンテナ到来時に垂直面内での反射回数が多い伝搬経路ほど基地局アンテナからの放射角の幅が狭くなるので、反射回数の多い伝搬経路ほど伝搬途中の壁面上の反射点の範囲は狭く、大部分は伝搬途中の壁面上の反射点で、範囲が広い反射回数の少ない伝搬経路の壁面上の反射点の範囲に含まれる反射点が存在するという特徴を利用し、
【００４１】
問題となる全ての長遅延波の伝搬経路上の反射点を少なくとも１回含む壁面の範囲を最小限に特定し、その範囲の壁面を電波を吸収する材質又は、反射係数の小さな材質により構成することにより、無線通信装置自体を改良することなく、抑圧すべき長遅延波の端末局アンテナへの伝搬を断ち、長遅延反射波によるマルチパスフェージングを低減させ、希望波の受信レベル（Ｄ）と干渉波の受信レベル（Ｕ）との比（Ｄ／Ｕ）を大きく改善して、高品質な無線通信を行うことを可能とする。
【００４２】
従来技術では、抑圧すべき長遅延波の伝搬経路を考慮していなかったために、前記、従来の技術の項で説明した電波無響室や電波半無響室のように、長遅延波を抑圧する手段として全ての反射波を１回目もしくは２回目の壁面反射時に抑圧していた。このため、長遅延波を抑圧するために必要な電波を反射しない壁面の面積が非常に広くなるという問題があった。
【００４３】
電波無響室や電波半無響室のように、全ての壁面反射を防止し、必ず１回目もしくは２回目の反射点で電波を吸収するのではなく、基地局アンテナから端末局アンテナへ到来する１回以上壁面反射した抑圧すべき長遅延波は端末局アンテナ到来前の伝搬経路上のいずれかの反射点において反射させなければ抑圧できる。
【００４４】
この原理を利用することにより電波を反射しない壁面の範囲を限定し、その面積を非常に小さくしても、長遅延波を抑圧し、Ｄ／Ｕを改善することが可能となる。この点が本発明の従来技術と異なる点である。
【００４５】
【発明の実施の形態】
以下、本発明の実施の形態に関し、図に基づいて、実施例として詳細に説明する。
図１は本発明の第１の実施例を示す図である。同図において、数字符号１は床、２は基地局アンテナ背後の壁（壁Ｂ）、３は端末局アンテナ背後の壁（壁Ａ）、４は天井、５は基地局装置、６は端末局装置、７は基地局アンテナ、８は端末局アンテナ、９は基地局アンテナの垂直面内における放射パターンを表わしている。
【００４６】
また、１０は端末局アンテナの垂直面内における放射パターン、１２は電波を吸収する材質又は、反射係数の小さな材質で構成される壁面部分、１３は電波を吸収する材質又は、反射係数の小さな材質で構成される壁面部分、１４は基地局アンテナから直接、端末局アンテナに到来する波の伝搬経路を表わしている。
【００４７】
さらに、１７は基地局アンテナより、端末局アンテナ背後の壁３に反射し、基地局アンテナ背後の壁２に反射した後、端末局アンテナに到来する波（破線区間は反射させない範囲で反射させた場合の伝搬経路）、１８は基地局アンテナより天井４で反射し、端末局アンテナ背後の壁３に反射し、さらに基地局アンテナ背後の壁２に反射した後、端末局アンテナに到来する波（破線区間は反射させない範囲で反射させた場合の伝搬経路）を表わしている。
【００４８】
本発明の実際の電波の伝搬には、壁面部分１２，１３では反射しないため伝搬経路１７及び１８の破線区間の伝搬はない。
図２は本発明の対向する壁と基地局アンテナの配置を説明する図である。
図２（ａ）は床に対して垂直な壁Ａと壁Ｂの間隔をＬ、天井の高さをｈ、床から基地局アンテナまでの高さをＨｔ、床から端末局アンテナまでの高さをＨｒとした、基地局アンテナが壁Ｂの壁際に設置される場合の垂直断面図である。
【００４９】
図２（ｂ）は床に対して垂直な壁Ａと壁Ｂの間隔をＬ、天井の高さをｈ、床から基地局アンテナまでの高さをＨｔ、床から端末局アンテナまでの高さをＨｒ、基地局アンテナと部屋の対向壁（壁Ａ）面までの距離をＬ／ａ（但し、１≦ａ＜∞）とした、基地局アンテナが壁間に配置される場合の垂直断面図である。
【００５０】
図３は本発明の高低差Ｈの値と送信高Ｔを説明する図である。
図３（ａ）は通常の送受信高低差のＨと送信高Ｔを表わす垂直断面図である。壁Ａと壁Ｂで構成される対向壁間の距離を部屋の長さＬ、基地局アンテナと部屋の対向壁（壁Ａ）面までの距離をＬ／ａ（但し、１≦ａ＜∞）、床から端末局アンテナまでの高さをＨｒ、床から基地局アンテナまでの高さをＨｔとするとき、
【００５１】
Ｈ＝Ｈｔ−Ｈｒ    （送受信高低差の式）
として容易に求めることができる。
送信高Ｔは送信点の高さＨｔと等しく
Ｔ＝Ｈｔ＝Ｈ＋Ｈｒ
として求めることができる。
【００５２】
図３（ｂ）は天井反射による鏡像送受信高低差のＨと送信高Ｔを表わす垂直断面図である。
壁Ａと壁Ｂで構成される対向壁間の距離を部屋の長さをＬ、基地局アンテナと部屋の対向壁（壁Ａ）面までの距離をＬ／ａ（但し、１≦ａ＜∞）、床から端末局アンテナまでの高さをＨｒ、床から基地局アンテナまでの高さをＨｔとするとき、
【００５３】
Ｈ＝２ｈ−Ｈｔ−Ｈｒ    （天井反射の鏡像送受信高低差の式）
と容易に求めることができる。
送信高Ｔは鏡像送信点の場合を考慮すると
Ｔ＝Ｈ＋Ｈｒ
として求めることができる。
【００５４】
図４は本発明の基地局アンテナと壁の位置関係を示す平面図である。
部屋の幅（壁Ｂ′−壁Ａ′）方向をＸ軸方向とし部屋の幅をＬｘとする。部屋の奥行き（壁Ｂ″−壁Ａ″）方向をＹ軸方向、部屋の奥行きをＬｙとする。基地局アンテナと部屋の壁Ａ′面までの距離はＬｘ／ｂ（１≦ｂ＜∞）、基地局アンテナと部屋の壁Ａ″面までの距離はＬｙ／ｃ（１≦ｃ＜∞）と表わすことができる。
【００５５】
図５は本発明の対向する壁と基地局アンテナの位置関係を説明する垂直面図である。
通常、部分的に考えた屋内の形状は直方体と考えられるため、屋内を直交座標（ＸＹＺ座標）として考え、部屋の幅方向をＸ方向、部屋の奥行き方向をＹ方向、垂直方をＺ方向とすると、電波伝搬の垂直方向（Ｚ軸方向）変化はＸ−Ｚ座標成分とＹ−Ｚ座標成分に分解できる。
【００５６】
図５（ａ）は図４のｘ軸方向の垂直断面図であり、
図５（ｂ）は図４のＹ軸方向の垂直断面図である。
図４における、Ｘ軸方向断面とＹ軸方向断面を一般化して壁を壁Ａ、壁Ｂとし、壁Ａ、壁Ｂ間の距離をＬ、基地局アンテナと部屋の壁Ａ面までの距離はＬ／ａ（但し１≦ａ＜∞）と表わすことができる。
【００５７】
図６は本発明の第１の実施例の電波を反射させない壁面の範囲の定式化を説明する図である。
Ｔは送信高、Ｌは床に対して垂直な壁Ａと壁Ｂの間隔、Ｈは鏡像送受信高低差、Ｈｒは床から端末局アンテナまでの高さとして、基地局アンテナが壁Ｂの壁際に設置される場合の同一垂直断面図を７つ連結させて示した図である。送信高Ｔは鏡像送信点の場合を考慮すると
Ｔ＝Ｈ＋Ｈｒ
として容易にもとめることができる。
【００５８】
長遅延波となる反射波で問題となるのは端末局アンテナへの到来方向が直接波と同じ方向（壁Ｂ→壁Ａ方向）になる、最後に基地局アンテナ背後の壁（壁Ｂ）に反射した後、端末局アンテナに到来する、壁Ａ〜壁Ｂで偶数回反射した反射波である。
【００５９】
基地局アンテナから放射され、端末局アンテナ背後の壁（壁Ａ）に反射し、基地局アンテナ背後の壁（壁Ｂ）に反射した後、端末局アンテナに到来する２回反射波の受信点は、送信点からの水平距離の範囲が２Ｌ〜３Ｌとなり、送信点と壁Ｂの受信点、壁Ａの受信点を結ぶ線はＬ間隔で平行な壁Ｂ、壁Ａに対して高低差Ｈを２等分、３等分した点と交わるため、２回反射波の反射点となる壁面の範囲は壁Ａでは高低差Ｈの１／２〜２／３、壁Ｂでは高低差Ｈの０〜１／３の範囲になる。
【００６０】
同様に４回反射波の受信点は、送信点からの水平距離の範囲が４Ｌ〜５Ｌとなるので、送信点と壁Ｂの受信点、壁Ａの受信点を結ぶ線は壁Ｂ、壁Ａに対して高低差Ｈを４等分、５等分した点と交わり、６回反射波の受信点は、送信点からの水平距離の範囲が６Ｌ〜７Ｌとなるので、送信点と壁Ｂの受信点、壁Ａの受信点を結ぶ線は壁Ｂ、壁Ａに対して高低差Ｈを６等分、７等分した点と交わる。
【００６１】
従って、２ｎ回反射波の受信点は送信点からの水平距離の範囲が２ｎＬ〜（２ｎ＋１）Ｌとなるので、送信点と壁Ａの受信点、壁Ｂの受信点を結ぶ線は壁Ｂ、壁Ａに対してそれぞれ高低差Ｈを２ｎ等分、（２ｎ＋１）等分した点と交わり、２ｎ回反射波のｍ回目の壁Ａでの反射点の範囲は
【００６２】
（２（ｎ−ｍ）＋１）Ｈ／２ｎ〜２（ｎ−ｍ＋１）Ｈ／（２ｎ＋１）
（但し、ｍはｎ以下の自然数）
と求めることができ、
２ｎ回反射波のｍ回目の壁Ｂでの反射点の範囲は
（ｎ−ｍ）Ｈ／ｎ〜（２（ｎ−ｍ）＋１）Ｈ／（２ｎ＋１）
（但し、ｍはｎ以下の自然数）
と求めることができる。
【００６３】
上記で求めた、２ｎ回反射波の壁Ａ及び壁Ｂでの反射点の範囲から伝搬経路上の壁面反射点で２ｎ回反射波を抑圧するために必要な範囲は以下のように場合分けできる。なお、上記の表５〜８の表をまとめた表を表９に示す。
【表９】
（但し、ａは１以上の実数とする。）
0003604526.tif 000006
【００６４】
（１）壁Ａ壁面と壁Ｂ壁面の両方の反射点で抑圧する場合
（伝搬経路の中間反射点で抑圧）
（壁Ａ壁面上の２回反射波の最初の反射点、壁Ｂ壁面上の４回反射波の最初の反射点）
（イ）壁Ａ壁面と壁Ｂ壁面の均等な範囲（前記“表９”の項番１が相当する）
（ロ）壁Ａ壁面上の全ての４ｎ−２回反射波の中間点を、壁Ｂ壁面上の全ての４ｎ回反射波の中間点をカバーする範囲（“表９”の項番２が相当する）
【００６５】
（２）壁Ａ壁面の反射点のみで抑圧する場合
（伝搬経路の前半の反射点で抑圧）
２回反射波と４回反射波の反射点を抑圧する連続な範囲
（ハ）壁Ａ壁面上の２回反射波と４回反射波の最初の反射点を含む連続な範囲（“表９”の項番３が相当する）
（ニ）壁Ａ壁面上の２回反射波の最初の反射点と４回反射波の２回目の反射点を含む連続な範囲（“表９”の項番４が相当する）
【００６６】
（３）壁Ｂ壁面の反射点のみで抑圧する場合
（伝搬経路の最後の反射点で抑圧）
（ホ）壁Ｂ壁面の２回反射波の最後の反射点の範囲（“表９”の項番５が相当する）
に分けられる。
【００６７】
図７は本発明の第２の実施例の電波を反射させない壁面の範囲の定式化を説明する図である。
同図において、Ｔは送信高、Ｌは床に対して垂直な壁Ａと壁Ｂの間隔、基地局アンテナと部屋の対向壁（壁Ａ）面までの距離をＬ／ａ、ｈは天井の高さ、Ｈｔは床から基地局アンテナまでの高さ、Ｈｒは床から端末局アンテナまでの高さを示しており、同図はこのような同一垂直断面を有する部屋を８つ連結させた図である。
【００６８】
図７において、部屋０が実像、部屋１〜６が鏡像、部屋−１が水平面の鏡像送信点の部屋である。破線は送信点及び各部屋の鏡像送信点の水平位置を示す線である。送信高Ｔは、鏡像送信点の場合を考慮すると
Ｔ＝Ｈ＋Ｈｒ
として容易にもとめることができる。
長遅延波となる反射波で問題となるのは端末局アンテナへの到来方向が直接波と同じ方向になる、壁Ａ〜壁Ｂで往復反射して端末局アンテナに到来する反射波である。
【００６９】
基地局アンテナが壁Ａと壁Ｂの間に設置されている場合は、最後に基地局アンテナ背後の壁（壁Ｂ）で反射した、偶数回反射だけでなく、最後に端末局アンテナ背後の壁（壁Ａ）で反射した、奇数回反射波も、基地局アンテナ位置から基地局アンテナ背後の壁（壁Ｂ）までの範囲では端末局アンテナへの到来方向が直接波と同じ方向になる。
送信アンテナから壁Ａ方向のみ放射した場合の伝搬を考えると奇数回反射波は部屋番号が奇数の場合のみに存在し、偶数回反射波は部屋番号が偶数の場合のみに存在する。
【００７０】
基地局アンテナから放射され、端末局アンテナ背後の壁（壁Ａ）に反射後、端末局アンテナに到来する、１回反射波の受信点は部屋１の鏡像送信点の水平位置を示す線上の受信点から壁Ｂの受信点までの範囲で、送信点からの水平距離の範囲が２Ｌ／ａ〜（ａ＋１）Ｌ／ａとなり、送信点と受信点の始まりと終わりの境界点を結ぶ線は、壁Ａに対して高低差Ｈを分割して交わるため、１回反射波の反射点となる壁面の範囲は壁Ａでは高低差Ｈの１／２〜ａ／（ａ＋１）の範囲になる。
【００７１】
３回反射波の受信点は部屋３の鏡像送信点の水平位置を示す線上の受信点から壁Ｂの受信点までの範囲で、送信点からの水平距離の範囲がＬ（２ａ＋２）／ａ〜３Ｌ（ａ＋１）／ａとなり、送信点と受信点の始まりと終わりの境界点を結ぶ線は、壁Ａに対して高低差Ｈを分割して交わるため、３回反射波の反射点となる壁面の範囲は壁Ａでの反射１回目では高低差Ｈの（２ａ＋１）／（２ａ＋２）〜３ａ／（３ａ＋１）、反射２回目では高低差Ｈの１／（２ａ＋２）〜ａ／（３ａ＋１）、壁Ｂでは高低差Ｈの１／２〜２ａ／（３ａ＋１）の範囲になる。
【００７２】
同様に、５回反射波の受信点は部屋５の鏡像送信点の水平位置を示す線上の受信点から壁Ｂの受信点までの範囲で水平距離の範囲がＬ（４ａ＋２）／ａ〜Ｌ（５ａ＋１）／ａとなる。
すなわち、送信点からの奇数ｎ回反射波の鏡像受信点の水平距離の範囲は
（（ｎ−１）ａ＋２）Ｌ／ａ〜（ｎａ＋１）Ｌ／ａ
（但し、ｎ＝２Ｑ−１でＱは自然数）となる。
【００７３】
従って、
奇数ｎ回反射波のｍ回目の壁Ａでの反射点の範囲は
（ａ（ｎ−２ｍ＋１）＋１）Ｈ／（（ｎ−１）ａ＋２）〜ａ（ｎ−２ｍ＋２）Ｈ／（ｎａ＋１）
（但し、ｍはＱ以下の自然数、ｎ＝２Ｑ−１でＱは自然数）と求めることができ、
【００７４】
奇数ｎ回反射波のｍ回目の壁Ｂでの反射点の範囲は
（ａ（ｎ−２ｍ）＋１）Ｈ／（（ｎ−１）ａ＋２）〜ａ（ｎ−２ｍ＋１）Ｈ／（ｎａ＋１）
（但し、ｍはＱ未満の自然数、ｎ＝２Ｑ−１でＱは自然数）と求めることができる。
【００７５】
次に、偶数回反射波について考える。
基地局アンテナから放射され、端末局アンテナ背後の壁（壁Ａ）に反射し、基地局アンテナ背後の壁（壁Ｂ）に反射した後、端末局アンテナに到来する、２回反射波の受信点は部屋２の鏡像送信点の水平位置を示す線上の受信点から壁Ａの受信点までの範囲で水平距離の範囲が２Ｌ〜（２ａ＋１）Ｌ／ａとなり、
【００７６】
送信点と受信点の始まりと終わりの境界点を結ぶ線は、壁Ａと壁Ｂに対して高低差Ｈを分割して交わるため、２回反射波の反射点となる壁面の範囲は壁Ａでは高低差Ｈの（２ａ−１）／２ａ〜２ａ／（２ａ＋１）、壁Ｂでは高低差Ｈの（ａ−１）／２ａ〜ａ／（２ａ＋１）の範囲になる。
【００７７】
４回反射波の受信点は部屋４の鏡像送信点の水平位置を示す線上の受信点から壁Ａの受信点までの範囲で水平距離の範囲が４Ｌ〜（４ａ＋１）Ｌ／ａとなり、送信点と受信点の始まりと終わりの境界点を結ぶ線は、壁Ａと壁Ｂに対して高低差Ｈを分割して交わるため、
【００７８】
４回反射波の反射点となる壁面の範囲は、壁Ａの反射１回目では、高低差Ｈの（４ａ−１）／４ａ〜４ａ／（４ａ＋１）、反射２回目では、高低差Ｈの（２ａ−１）／４ａ〜２ａ／（４ａ＋１）、壁Ｂの反射１回目では、高低差Ｈの（３ａ−１）／４ａ〜３ａ／（４ａ＋１）、反射２回目では、高低差Ｈの（ａ−１）／４ａ〜ａ／（４ａ＋１）の範囲になる。
【００７９】
同様に、６回反射波の受信点は部屋６の鏡像送信点の水平位置を示す線上の受信点から壁Ｂの受信点までの範囲で水平距離の範囲が６Ｌ〜（６ａ＋１）Ｌ／ａとなる。
すなわち、送信点からの偶数ｎ回反射波の鏡像受信点の水平距離の範囲は
ｎＬ〜（ｎａ＋１）Ｌ／ａ
（但し、ｎ＝２ＱでＱは自然数）
となる。
【００８０】
従って、
偶数ｎ回反射波のｍ回目の壁Ａでの反射点の範囲は
（ａ（ｎ−２ｍ）＋２）−１）Ｈ／ｎａ〜ａ（ｎ−２ｍ＋２）Ｈ／（ｎａ＋１）
（但し、ｍはＱ以下の自然数、ｎ＝２ＱでＱは自然数）
と求めることができる。
【００８１】
さらに、送信アンテナから壁Ｂ方向に放射した場合の伝搬を考慮するために、部屋番号−１の水平面の鏡像送信点から放射した場合には、奇数回反射波は部屋番号が偶数の場合のみに存在し、偶数回反射波は部屋番号が奇数の場合のみに存在する。
【００８２】
壁Ｂ方向に放射した場合の鏡像送信点からの奇数ｎ回反射波の鏡像受信点の水平距離の範囲は
（ｎａ＋ａ−２）Ｌ／ａ〜（ｎａ＋ａ−１）Ｌ／ａ
（但し、ｎ＝２Ｑ−１でＱは自然数）
となり、
鏡像送信点からの偶数ｎ回反射波の鏡像受信点の水平距離の範囲は
ｎＬ〜（ｎａ＋ａ−１）Ｌ／ａ
（但し、ｎ＝２ＱでＱは自然数）
となる。
【００８３】
従って、
壁Ｂ方向に放射した場合の奇数ｎ回反射波のｍ回目の壁Ａでの反射点の範囲は
（ａ（ｎ−２ｍ）＋１）−１）Ｈ／（ｎａ＋ａ−２）〜ａ（ｎ−２ｍ＋１）Ｈ／（ｎａ＋ａ−１）
（但し、ｍはＱ未満の自然数、ｎ＝２Ｑ−１でＱは自然数）と求めることができ、
【００８４】
壁Ｂ方向に放射した場合の奇数ｎ回反射波のｍ回目の壁Ｂでの反射点の範囲は
（ａ（ｎ−２ｍ＋２）−１）Ｈ／（ｎａ＋ａ−２）〜ａ（ｎ−２ｍ＋２）Ｈ／（ｎａ＋ａ−１）
（但し、ｍはＱ以下の自然数、ｎ＝２Ｑ−１でＱは自然数）と求めることができる。
【００８５】
次に、偶数回反射波について考える。
壁Ｂ方向に放射した場合の偶数ｎ回反射波のｍ回目の壁Ａでの反射点の範囲は
（ａ（ｎ−２ｍ）＋１）Ｈ／ｎａ〜（ｎ−２ｍ＋１）Ｈ／（ｎａ＋ａ−１）
（但し、ｍはＱ以下の自然数、ｎ＝２ＱでＱは自然数）と求めることができ、
【００８６】
壁Ｂ方向に放射した場合の偶数ｎ回反射波のｍ回目の壁Ｂでの反射点の範囲は
（ａ（ｎ−２ｍ＋１）＋１）Ｈ／ｎａ〜ａ（ｎ−２ｍ＋２）Ｈ／（ｎａ＋ａ−１）                （但し、ｍはＱ以下の自然数、ｎ＝２ＱでＱは自然数）と求めることができる。
【００８７】
上記で求めた、壁Ａ、壁Ｂの送信点から壁Ａ方向、壁Ｂ方向へ放射した場合の壁Ａ及び壁Ｂでの反射点の範囲から伝搬経路上の壁面反射点で反射波を抑圧するために必要な範囲は以下のように場合分けできる。
【００８８】
（１）壁Ａからの送信アンテナ位置Ｌ／ａが５／４≦ａ≦５の場合
（壁Ａ壁面上の１〜２回反射波の最初の反射点と壁Ｂ壁面上の１〜２回反射波の最初の反射点の範囲）
（イ）送信アンテナ位置Ｌ／ａが５／４≦ａ≦５の場合
壁Ａ壁面側では、壁Ａで最初に反射して１〜２回反射波となる壁Ａ壁面上の最初の反射点を連続カバーし、壁Ｂ壁面側では、壁Ｂで最初に反射して１〜２回反射波となる壁Ｂ壁面上の最初の反射点を連続的にカバーする範囲（“表９”の項番１）
【００８９】
（２）壁Ａからの送信アンテナ位置Ｌ／ａが１＜ａ＜５／４の場合
（壁Ａで最初に反射する１〜２回反射波の反射点、壁Ｂで最初に反射する１〜４回反射波の反射点）
（ロ）壁Ａ壁面側では、壁Ａで最初に反射して１〜２回反射波となる壁Ａ壁面上の最初の反射点と壁Ｂで最初に反射して３〜４回反射波となる反射波の壁Ａ壁面上の最初の反射点を連続的にカバーする範囲を、壁Ｂ壁面側では、壁Ｂで最初に反射して１〜２回反射波となる壁Ｂ壁面上の最初の反射点を連続的にカバーする範囲（“表９”の項番７）
【００９０】
（ハ）壁Ａ壁面側では、壁Ａで最初に反射して１〜２回反射波となる壁Ａ壁面上の最初の反射点を連続的にカバーする範囲を、壁Ｂ壁面側では、壁Ｂで最初に反射して１〜４回反射波となる壁Ｂ壁面上の最初の反射点を連続的にカバーする範囲（“表９”の項番８）
（壁Ａで最初に反射する１〜２回反射波の反射点、壁Ｂで最初に反射する１〜２回反射波の反射点と４回反射波の２回目の反射点）
【００９１】
（ニ）壁Ａ壁面側では、壁Ａで最初に反射して１〜２回反射波となる壁Ａ壁面上の最初の反射点を連続的にカバーする範囲を、壁Ｂ壁面側では、壁Ｂで最初に反射して１〜２回反射波となる壁Ｂ壁面上の最初の反射点と壁Ｂで最初に反射して４回反射波となる反射波の壁Ｂ壁面上の２回目の反射点を連続的にカバーする範囲（“表９”の項番９）
【００９２】
（３）壁Ａからの送信アンテナ位置Ｌ／ａが５＜ａの場合
（壁Ａで最初に反射する１〜４回反射波の反射点、壁Ｂで最初に反射する１〜２回反射波の反射点）
（ホ）壁Ａ壁面側では、壁Ａで最初に反射して１〜２回反射波となる壁Ａ壁面上の最初の反射点を連続的にカバーする範囲を、壁Ｂ壁面側では、壁Ｂで最初に反射して１〜２回反射波となる壁Ｂ壁面上の最初の反射点と壁Ａで最初に反射して３〜４回反射波となる反射波の壁Ｂ壁面上の最初の反射点を連続的にカバーする範囲（“表９”の項番１０）
【００９３】
（ヘ）壁Ａ壁面側では、壁Ａで最初に反射して１〜４回反射波となる壁Ａ壁面上の最初の反射点を連続的にカバーする範囲を、壁Ｂ壁面側では、壁Ｂで最初に反射して１〜２回反射波となる壁Ｂ壁面上の最初の反射点を連続的にカバーする範囲（“表９”の項番１１）
（壁Ａで最初に反射する１〜２回反射波の反射点と４回反射波の２回目の反射点、壁Ｂで最初に反射する１〜２回反射波の反射点）
【００９４】
（ト）壁Ａ壁面側では、壁Ａで最初に反射して１〜２回反射波となる壁Ａ壁面上の最初の反射点と壁Ａで最初に反射して４回反射波となる反射波の壁Ａ壁面上の２回目の反射点を連続的にカバーする範囲を、壁Ｂ壁面側では、壁Ｂで最初に反射して１〜２回反射波となる壁Ｂ壁面上の最初の反射点を連続的にカバーする範囲（“表９”の項番１２）
【００９５】
図８は、従来の屋内高速無線通信装置と短遅延の干渉波の伝搬経路を示す図である。同図において、数字符号１は床、２は基地局アンテナ背後の壁、３は端局アンテナの背後の壁、４は天井、５は基地局装置、６は端末装置、７は基地局アンテナ、８は端局アンテナ、
【００９６】
９は基地局アンテナの垂直面内における放射パターン、１０は端局アンテナの垂直面内における放射パターン、１４は基地局アンテナから直接、端末アンテナに到来する波の伝搬経路、１５は基地局アンテナより放射し、床に反射した後、端末アンテナに到来する波の伝搬経路、１６は基地局アンテナより放射し、天井で反射した後、端末アンテナに到来する波の伝搬経路である。
【００９７】
図９は従来の屋内高速無線通信装置と長遅延の干渉波の伝搬経路を示す図である。同図において、数字符号１は床、２は基地局アンテナ背後の壁、３は端局アンテナの背後の壁、４は天井、５は基地局装置、６は端末装置、７は基地局アンテナ、８は端局アンテナ、９は基地局アンテナの垂直面内における放射パターン、１０は端局アンテナの垂直面内における放射パターンを表わしている。
【００９８】
また、１７は基地局アンテナより、端末局アンテナ背後の壁に反射し、基地局アンテナ背後の壁に反射した後、端末局アンテナに到来する波の伝搬経路、１８は基地局アンテナより天井で反射し、端末局アンテナ背後の壁に反射し、さらに基地局アンテナ背後の壁に反射した後、端末局アンテナに到来する波の伝搬経路である。
【００９９】
図１０は従来の電波無響室の干渉波抑圧原理を示す図である。数字符号１は床、２は基地局アンテナ背後の壁、３は端局アンテナの背後の壁、４は天井、５は基地局装置、６は端末装置、７は基地局アンテナ、８は端局アンテナ、９は基地局アンテナの垂直面内における放射パターン、
【０１００】
１０は端局アンテナの垂直面内における放射パターン、１４は基地局アンテナから直接、端末アンテナに到来する波の伝搬経路、１５は基地局アンテナより放射し、床に反射した後、端末アンテナに到来する波の伝搬経路、１６は基地局アンテナより放射し、天井で反射した後、端末アンテナに到来する波の伝搬経路、
【０１０１】
１７は基地局アンテナより、端末局アンテナ背後の壁に反射し、基地局アンテナ背後の壁に反射した後、端末局アンテナに到来する波の伝搬経路、１８は基地局アンテナより天井で反射し、端末局アンテナ背後の壁に反射し、さらに基地局アンテナ背後の壁に反射した後、端末局アンテナに到来する波の伝搬経路、２７は電波吸収面である。
【０１０２】
図１１は本発明の第１の実施例を示す図である。同図において、数字符号１は床、３は端局アンテナの背後の壁、４は天井、１２は壁Ａの壁面上の電波を吸収する材質又は、反射係数の小さな材質で構成される部分である。この例は本願発明の基本的な構成を示している。
【０１０３】
図１２は本発明の第２の実施例を示す図である。同図において、数字符号１は床、２は基地局アンテナ背後の壁（壁Ｂ）、３は端末局アンテナ背後の壁（壁Ａ）、４は天井、１２は壁Ａの壁面上の電波を吸収する材質又は、反射係数の小さな材質で構成される部分、１３は壁Ｂの壁面上の電波を吸収する材質又は、反射係数の小さな材質で構成される部分である。
【０１０４】
図１３は本発明の第３の実施例を示す図である。同図において、数字符号１は床、３は端局アンテナの背後の壁、４は天井、１９は、式Ｈ＝Ｈｔ−Ｈｒで与えられる送受信高低差のＨを使用して求められる、電波を吸収する材質もしくは反射係数の小さな材質により構成するか、
【０１０５】
又は、前記の材質で構成したパネル、壁紙又は塗料で覆う壁面上の範囲、２０は、式Ｈ＝２ｈ−Ｈｔ−Ｈｒで与えられる天井反射の鏡像送受信高低差のＨを使用して求められる電波を吸収する材質もしくは反射係数の小さな材質により構成するか、又は、前記の材質で構成したパネル、壁紙又は塗料で覆う壁面上の範囲である。
【０１０６】
図１４は本発明の第４の実施例を示す図である。同図において、数字符号１は床、２は基地局アンテナ背後の壁、３は端局アンテナの背後の壁、４は天井、１９は、式Ｈ＝Ｈｔ−Ｈｒで与えられる送受信高低差のＨを使用して求められる、電波を吸収する材質もしくは反射係数の小さな材質により構成するか、
【０１０７】
又は、前記の材質で構成したパネル、壁紙又は塗料で覆う壁面上の範囲、２０は、式Ｈ＝２ｈ−Ｈｔ−Ｈｒで与えられる天井反射の鏡像送受信高低差のＨを使用して求められる電波を吸収する材質もしくは反射係数の小さな材質により構成するか、又は、前記の材質で構成したパネル、壁紙又は塗料で覆う壁面上の範囲である。
【０１０８】
図１５は本発明の第５の実施例を示す図である。同図において、数字符号１は床、４は天井、１９は、式Ｈ＝Ｈｔ−Ｈｒで与えられる送受信高低差のＨを使用して求められる、電波を吸収する材質もしくは反射係数の小さな材質により構成するか、又は、前記の材質で構成したパネル、壁紙又は塗料で覆う壁面上の範囲である。
【０１０９】
図１６は本発明の第６実施例を示す図である。同図において、数字符号１は床、４は天井、１９は、式Ｈ＝Ｈｔ−Ｈｒで与えられる送受信高低差のＨを使用して求められる、電波を吸収する材質もしくは反射係数の小さな材質により構成するか、
【０１１０】
又は、前記の材質で構成したパネル、壁紙又は塗料で覆う壁面上の範囲、２０は、式Ｈ＝２ｈ−Ｈｔ−Ｈｒで与えられる天井反射の鏡像送受信高低差のＨを使用して求められる電波を吸収する材質もしくは反射係数の小さな材質により構成するか、又は、前記の材質で構成したパネル、壁紙又は塗料で覆う壁面上の範囲である。
【０１１１】
図１７は本発明の第７の実施例を示す図である。同図において、数字符号１９は、式Ｈ＝Ｈｔ−Ｈｒで与えられる送受信高低差のＨを使用して求められる、電波を吸収する材質もしくは反射係数の小さな材質により構成するか、又は、前記の材質で構成したパネル、壁紙又は塗料で覆う壁面上の範囲である。
【０１１２】
図１８は本発明の第８の実施例を示す図である。同図において、数字符号１９は、式Ｈ＝Ｈｔ−Ｈｒで与えられる送受信高低差のＨを使用して求められる、電波を吸収する材質もしくは反射係数の小さな材質により構成するか、又は、前記の材質で構成したパネル、壁紙又は塗料で覆う壁面上の範囲、
【０１１３】
２０は、式Ｈ＝２ｈ−Ｈｔ−Ｈｒで与えられる天井反射の鏡像送受信高低差のＨを使用して求められる電波を吸収する材質もしくは反射係数の小さな材質により構成するか、又は、前記の材質で構成したパネル、壁紙又は塗料で覆う壁面上の範囲である。
【０１１４】
図１９は本発明の第９の実施例を示す図である。同図において、数字符号１は床、４は天井、２１は電波を吸収する材質もしくは反射係数の小さな材質により構成するか、又は、前記の材質で構成したパネル、壁紙又は塗料で覆う壁面上の範囲、２２は反射係数の小さい材質のガラス等で構成するか、又は、電波を吸収して反射係数の小さな材質で構成したパネル、壁紙又は塗料の壁面材で覆う窓の範囲、２３は窓、２４は壁である。
【０１１５】
図２０は本発明の第１０の実施例を示す図である。同図において、数字符号２１は電波を吸収する材質もしくは反射係数の小さな材質により構成するか、又は、前記の材質で構成したパネル、壁紙又は塗料で覆う壁面上の範囲、２４は壁、２５は書庫、パーティション等の什器、２６は什器の電波を吸収する材質、もしくは、反射係数の小さな材質で構成するか、又は、電波を吸収して反射係数の小さな材質で構成したパネル、壁紙又は塗料の壁而材で覆う什器の範囲である。
【０１１６】
【発明の効果】
以上、説明したように、本発明の無線通信空間は、無線ＬＡＮ等の屋内高速無線通信装置を実現する上で問題となるマルチパスフェージングを、壁面の特定な高さの帯状の範囲を電波の反射係数の小さな材質で構成するか、電波を吸収する材質の遮蔽物で覆うことによって、その原因となる放射角で伝搬する電波を伝搬経路上の反射点で反射波を反射させずに遮断することにより抑圧している。
【０１１７】
これによって、基地局アンテナにマルチパスフェージングを低減させるためのヌル点成形等の複雑なビーム成形機能持つアンテナを使用すること無く、対向する壁や天井からの１〜２回以上の反射波を抑圧できるので、長遅延反射波によるマルチパスフェージングを低減させて、誤り率（ＢＥＲ）、Ｄ／Ｕ（希望波と干渉波の比）を大きく改善した高品質な屋内高速無線通信を、非常に簡易なアンテナ構成の無線通信装置で実現することができる利点がある。
【図面の簡単な説明】
【図１】本発明の第１の実施例を説明する図である。
【図２】対向する壁と基地局アンテナの配置を説明する図である。
【図３】高低差Ｈの値と送信高Ｔを説明する図である。
【図４】基地局アンテナと壁の位置関係を示す平面図である。
【図５】対向する壁と基地局アンテナの位置関係を説明する垂直面図である。
【図６】第１の実施例の電波を反射させない壁面の範囲の定式化を説明する図である。
【図７】第２の実施例の電波を反射させない壁面の範囲の定式化を説明する図である。
【図８】従来の屋内無線通信装置と短遅延の干渉波の伝搬経路を示す図である。
【図９】従来の屋内無線通信装置と長遅延の干渉波の伝搬経路を示す図である。
【図１０】従来の電波無響室の干渉波抑圧原理を示す図である。
【図１１】本発明の第１の実施例を示す図である。
【図１２】本発明の第２の実施例を示す図である。
【図１３】本発明の第３の実施例を示す図である。
【図１４】本発明の第４の実施例を示す図である。
【図１５】本発明の第５の実施例を示す図である。
【図１６】本発明の第６の実施例を示す図である。
【図１７】本発明の第７の実施例を示す図である。
【図１８】本発明の第８の実施例を示す図である。
【図１９】本発明の第９の実施例を示す図である。
【図２０】本発明の第１０の実施例を示す図である。
【符号の説明】
１    床
２    基地局アンテナ背後の壁（壁Ｂ）
３    端末局アンテナ背後の壁（壁Ａ）
４    天井
５    基地局装置
６    端末局装置
７    基地局アンテナ
８    端末局アンテナ
９    基地局アンテナの垂直面内の放射パターン
１０    端末局アンテナの垂直面内の放射パターン
１１    送信点（送信アンテナの位置）
１２，１３    壁面上の電波を吸収する材質又は、反射係数の小さな材質で構成される部分
１４〜１８    電波の伝搬経路
１９〜２１    対策を施す壁面上の範囲
２２    対策を施す窓上の範囲
２３    窓
２４    壁
２５    書庫、パーティション等の什器
２６    対策を施す什器上の範囲
２７    電波吸収面
【図１】
0003604526.tif 000011
【図２】
0003604526.tif 000012
【図３】
0003604526.tif 000013
【図４】
0003604526.tif 000014
【図５】
0003604526.tif 000015
【図６】
0003604526.tif 000016
【図７】
0003604526.tif 000017
【図８】
0003604526.tif 000018
【図９】
0003604526.tif 000019
【図１０】
0003604526.tif 000020
【図１１】
0003604526.tif 000021
【図１２】
0003604526.tif 000022
【図１３】
0003604526.tif 000023
【図１４】
0003604526.tif 000024
【図１５】
0003604526.tif 000025
【図１６】
0003604526.tif 000026
【図１７】
0003604526.tif 000027
【図１８】
0003604526.tif 000028
【図１９】
0003604526.tif 000029
【図２０】
0003604526.tif 000030